(57)【要約】【課題】コンロの天板上に突設されたピンに、五徳を構成する五徳爪の下方にのびる脚部の下端に形成した凹孔を嵌合させて五徳を位置決めする五徳の位置決め構造であって、天板がガラス製であるものにおいて、ガラス製の天板の耐久性が低下することを防止できる五徳の位置決め構造を提供する。【解決手段】ピン５は天板１に形成した貫通孔１１に挿入され天板の上方に突出し、ピン５には、天板１の上面から上方へ間隔を存して天板１と平行に張り出すフランジ５１が設けられ、フランジ５１と天板１との間には、この間を液密に閉塞する弾性部材６が介設され、五徳爪２２の脚部２３の下端が凹孔２３ａの周囲の部分でフランジ５１に着座する。【選択図】図２
2010008019.tif 000002
【特許請求の範囲】
【請求項１】
コンロの天板上に突設されたピンに、五徳を構成する五徳爪の下方にのびる脚部の下端に形成した凹孔を嵌合させて五徳を位置決めする五徳の位置決め構造であって、天板がガラス製であるものにおいて、
ピンは天板に形成した貫通孔に挿入され天板の上方に突出し、
ピンには、天板の上面から上方へ間隔を存して天板と平行に張り出すフランジが設けられ、
フランジと天板との間には、この間を液密に閉塞する弾性部材が介設され、
五徳爪の脚部の下端が凹孔の周囲の部分でフランジに着座することを特徴とする五徳の位置決め構造。
【請求項２】
請求項１記載の五徳の位置決め構造において、五徳は複数の五徳爪を備え、天板には全ての五徳爪に対応させて複数のピンが突設され、各五徳爪の脚部の下端には対応するピンと嵌合する凹孔が形成されることを特徴とする五徳の位置決め構造。
【請求項３】
請求項１記載の五徳の位置決め構造において、五徳は複数の五徳爪を備え、天板には一部の五徳爪に対応させてピンが突設され、前記一部の五徳爪の脚部の下端に対応するピンと嵌合する凹孔が形成され、他の五徳爪の脚部の下端にはクッション部材が設けられることを特徴とする五徳の位置決め構造。
【発明の詳細な説明】
【技術分野】
【０００１】
本発明は、コンロの天板上に載置される五徳の位置決め構造に関する。
【背景技術】
【０００２】
コンロは、バーナの火炎が五徳爪に触れると燃焼不良を生ずるため、バーナの周面に、五徳爪の周方向配置ピッチと同等の周方向間隔を存して無炎孔部（炎孔の無い部分）や小炎孔部を設けている。そして、各五徳爪がバーナの各無炎孔部又は小炎孔部と同一の方位に位置する正規位相で五徳を天板上にセットできるように、天板上にピンを突設し、五徳を構成する五徳爪の下方にのびる脚部の下端に形成した凹孔をピンに嵌合させて五徳を位置決めするものが知られている（例えば、特許文献１参照）。これにより、各五徳爪にバーナの火炎が触れることを防止できる。
【特許文献１】特許第２６９８００２号公報
【発明の開示】
【発明が解決しようとする課題】
【０００３】
従来の五徳の位置決め構造を、ガラス製天板のコンロに適用した場合、鍋やフライパン等を動かしたときなどの衝撃が五徳を介してガラス製天板に伝達され、ガラス製天板の耐久性が低下する虞がある。特に、五徳爪の脚部の下端が直接天板に接触するものでは、各脚部の下端を連結する枠部を備え枠部を介して天板と接触する五徳と比較して、天板に接触する面積が小さく、ガラス製の天板の耐久性が低下し易い。
【０００４】
本発明は、以上の点に鑑み、ガラス製の天板の耐久性が低下することを防止できる五徳の位置決め構造を提供することを目的とする。
【課題を解決するための手段】
【０００５】
上記目的を達成するため、本発明は、コンロの天板上に突設されたピンに、五徳を構成する五徳爪の下方にのびる脚部の下端に形成した凹孔を嵌合させて五徳を位置決めする五徳の位置決め構造であって、天板がガラス製であるものにおいて、ピンは天板に形成した貫通孔に挿入され天板の上方に突出し、ピンには、天板の上面から上方へ間隔を存して天板と平行に張り出すフランジが設けられ、フランジと天板との間には、この間を液密に閉塞する弾性部材が介設され、五徳爪の脚部の下端が凹孔の周囲の部分でフランジに着座することを特徴とする。
【０００６】
本発明によれば、五徳上の鍋等を動かしたときなどの衝撃は、五徳とピンのフランジとを介して弾性部材により吸収され、ガラス製の天板に伝達され難くなる。これにより、ガラス製の天板の耐久性が低下することを防止できる。又、弾性部材はフランジと天板との間を液密に閉塞するため、煮こぼれ汁等がピンと天板の貫通孔との隙間からコンロ内に流れ込むことを防止することができる。
【０００７】
又、本発明においては、五徳は複数の五徳爪を備え、天板に全ての五徳爪に対応させて複数のピンを突設し、各五徳爪の脚部の下端に対応するピンと嵌合する凹孔を形成すれば、全ての五徳爪からの衝撃を各弾性部材で吸収させることができ、天板の耐久性の低下をより確実に防止することができる。
【０００８】
又、本発明においては、五徳は複数の五徳爪を備え、天板に一部の五徳爪に対応させてピンを突設し、前記一部の五徳爪の脚部の下端に対応するピンと嵌合する凹孔を形成し、他の五徳爪の脚部の下端にクッション部材を設ければ、天板に全ての五徳爪に対応するピンを突設させることなく、クッション部材で前記他の五徳爪からの衝撃を吸収させることができ、天板の耐久性の低下を防止することができる。
【発明を実施するための最良の形態】
【０００９】
以下、図１〜３を参照して、本発明の五徳の位置決め構造の実施形態をドロップイン式のガスコンロを用いて説明する。図中、１はガスコンロのガラス製の天板、２は天板１上に載置された五徳を示している。天板１には開口部１ａが形成され、この開口部１ａから上方へバーナ３が突出している。
【００１０】
バーナ３は、図２に示す如く、天板１で覆われるコンロ本体４内に設置される混合管３１と、天板１の上方に突出するバーナボディ３２と、バーナボディ３２上に載置されるバーナヘッド３３とで構成されている。
【００１１】
混合管３１はコンロ本体４の底部上に設けた台枠４ａ上に載置固定される。コンロ本体４内には混合管２１の上流端に臨む図示省略したガスノズルが設けられている。このガスノズルから噴出する燃料ガスと混合管３１の上流端から吸入される一次空気との混合ガス（混合気）が混合管３１内で生成される。混合管３１の下流端部は上向きに屈曲し、この下流端部にバーナボディ３２に垂設した筒部３４が上方から嵌合される。天板１の開口部１ａと混合管３１の下流端部との隙間は蓋体１ｂにより閉塞されている。
【００１２】
バーナヘッド３３の下面外周部には多数の歯形が垂設されており、これら歯形間の隙間で炎孔３５が形成される。混合管３１からの混合気はバーナボディ３２を介して炎孔３５から噴出する。そして、噴出した混合気の燃焼で生成される火炎により天板１上の五徳２に載置する被加熱物が加熱される。
【００１３】
五徳２は、バーナ３の上方に位置する中央結合部２１と、この中央結合部２１から径方向外方にのびる複数（本実施形態では４個）の五徳爪２２とを有する。各五徳爪２２の外端部には下方にのびる脚部２３が形成されている。そして、脚部２３の下端に凹孔２３ａを設けている。
【００１４】
ところで、バーナ３の火炎が五徳爪２２に触れると燃焼不良を生ずる。そこで、バーナヘッド３３の周面に、五徳爪２２の周方向配置ピッチと同等の周方向間隔を存して無炎孔部（炎孔３５の無い部分）又は小炎孔部を設けている。そのため、各五徳爪２２がバーナ３の各無炎孔部又は小炎孔部と同一の方位に位置する正規位相で五徳２を天板１上にセットすれば、各五徳爪２２に火炎が触れることを防止できる。
【００１５】
そこで、本実施形態では、対向する２つの五徳爪２２に対応させて天板１に一対のピン５を突設し、対向する２つの五徳爪２２の脚部２３の下端に対応するピン５と嵌合する凹孔２３ａを形成し、ピン５と凹孔２３ａとを嵌合させることにより、五徳２を正規位相で天板１上に位置決めしている。これを以下に詳説する。
【００１６】
図３に示すように、ピン５は、上下方向の中間に設けられた径方向外方へ張り出すフランジ５１と、フランジ５１から下方に間隔を存して下端部に設けられた小径部５２とを備える。小径部５２の外周面にはネジが切られている。そして、ピン５を、シリコーンゴム等の弾性樹脂製で環状のパッキン６に上方から挿入し、正規位相で五徳２を天板１上に載置するときの凹孔２３ａに対応する箇所に位置させて天板１に設けられた貫通孔１１に挿入する。このとき、パッキン６はピン５のフランジ５１の下面と天板１の上面との間に位置する。即ち、実施形態ではパッキン６が本発明の弾性部材となる。
【００１７】
ピン５の小径部５２にはナット７が螺着される。天板１の下面とナット７の上面との間には環状のパッキン８１及び座金８２が介設される。ナット７を締め付けることによりパッキン６がフランジ５１と天板１との間で潰れるように挟まれる。これにより、パッキン６がフランジ５１と天板１の上面との間を液密に閉塞することとなる。従って、煮こぼれ汁等がピン５と天板１の貫通孔１１との隙間からコンロ本体４内に流れ込むことを防止できる。
【００１８】
ピン５のフランジ５１と小径部５２との間の間隔は、天板２の厚さ、即ち貫通孔２１の軸方向長さよりも若干長く設定されている。これにより、ナット７を締め過ぎて天板１を破損させることを防止している。又、ピン５のフランジ５１よりも上方に位置する部分には一対の平行な面取り部５３が形成され、これにより、ピン５の回転を阻止し易くして、ナット７を締め易くしている。
【００１９】
五徳爪２２の脚部２３の下端は、凹孔２３ａの周囲の部分でピン５のフランジ５１に着座している。凹孔２３ａが形成された２つの五徳爪２２を除く他の２つ五徳爪２２の脚部２３の下端にはシリコーンゴム等の弾性を備えるクッション部材９が設けられ、この他の２つ五徳爪２２の脚部２３はクッション部材９を介して天板１に着座する。
【００２０】
実施形態のガスコンロによれば、五徳２上の鍋等を動かしたときなどの衝撃は、五徳爪２２とピン５のフランジ５１とを介して、パッキン６又はクッション部材９により吸収され、ガラス製の天板１に伝達され難くなる。これにより、ガラス製の天板１の耐久性が低下することを防止できる。
【００２１】
尚、実施形態では、４つの五徳爪２２のうち２つの五徳爪２２の脚部２３に凹孔２３ａを設けたものを説明したが、３つ又は全ての五徳爪２２の脚部２３に凹孔２３ａを設け、天板１に凹孔２３ａに対応するピン５を突設してもよい。又、天板１の下面とナット７との間に位置するパッキン８１及び座金８２に代えて、スプリングワッシャを用いてもよい。
【図面の簡単な説明】
【００２２】
【図１】本発明の実施形態の五徳の位置決め構造を用いたガスコンロを示す平面図。
【図２】実施形態の五徳の位置決め構造を用いたガスコンロの断面図。
【図３】実施形態の五徳の位置決め構造を用いたガスコンロの断面図。
【符号の説明】
【００２３】
１…天板、  １１…貫通孔、  ２…五徳、  ２２…五徳爪、  ２３…脚部、  ２３ａ…凹孔、  ５…ピン、  ５１…フランジ、  ６…パッキン（弾性部材）、  ９…クッション部材。
【図１】
2010008019.tif 000003
【図２】
2010008019.tif 000004
【図３】
2010008019.tif 000005